(57)【特許請求の範囲】
【請求項１】
カメラを有する携帯端末と通信可能なサーバーを有する拡張現実システムにおいて、
前記サーバーは、故人に関する情報を記憶する故人情報記憶部と、慰霊場所の位置情報を記憶する位置情報記憶部と、前記携帯端末との情報の送受信を行う制御部とを有し、
前記携帯端末は、自機の位置を検出する位置検出部と、該位置検出部で検出した位置の情報を含む情報を送信すると共に前記サーバーからの情報を受信する送受信部を有し、
前記サーバーの制御部は、前記携帯端末が前記位置検出部で検出した自機の位置が、前記位置情報記憶部に記憶された慰霊場所の位置情報と合致する場合には、前記故人情報記憶部に記憶された故人に関する情報を前記携帯端末に送信し、前記故人に関する情報を受信した携帯端末に、該故人に関する情報を前記カメラで撮影した映像に重畳して、画面に表示させ、
前記携帯端末は、前記位置検出部で検出した自機の位置の情報を所定のタイミングで前記サーバーに送信し、
前記制御部は、前記携帯端末から受信した位置の情報と、前記位置情報記憶部に記憶された位置の情報とを対比し、両者の位置間の距離が所定以下である場合に、前記携帯端末に対して慰霊を促す情報を送信することを特徴とする拡張現実システム。
【請求項２】
前記サーバーの制御部は、前記携帯端末が前記位置検出部で検出した自機の位置が、前記位置情報記憶部に記憶された慰霊場所の位置から所定範囲内であれば、前記慰霊場所の位置情報と合致すると判定することを特徴とする請求項１記載の拡張現実システム。
【請求項３】
前記慰霊場所にはマーカーが設けられており、
前記サーバーは、前記携帯端末が前記マーカーを撮影した際に、前記位置検出で検出された位置情報を前記携帯端末から受信し、該受信した位置情報を前記位置情報記憶部に記憶させることを特徴とする請求項１または２記載の拡張現実システム。
【請求項４】
カメラを有する携帯端末と通信可能なサーバーを有する拡張現実システムにおいて、
前記サーバーは、故人に関する情報を記憶する故人情報記憶部と、前記携帯端末との情報の送受信を行う制御部とを有し、
前記携帯端末は、慰霊設備に設置されたマーカーを前記カメラで撮影すると、前記マーカーに含まれる情報に基づき前記サーバーに対して所定の情報を送信し、該所定の情報を受信した前記サーバーの制御部は、前記故人情報記憶部に記憶された故人に関する情報を前記携帯端末に送信し、前記故人に関する情報を受信した携帯端末は、該故人に関する情報を前記カメラで撮影した映像に重畳して、画面に表示させ、
前記携帯端末は自機の位置を検出できる位置検出部を有し、
前記携帯端末は、前記位置検出部で検出した自機の位置の情報を所定のタイミングで前記サーバーに送信し、
前記制御部は、前記携帯端末から受信した位置の情報と、前記位置情報記憶部に記憶された位置の情報とを対比し、両者の位置間の距離が所定以下である場合に、前記携帯端末に対して慰霊を促す情報を送信することを特徴とする拡張現実システム。
【請求項５】
前記故人情報記憶部に記憶される故人に関する情報には、前記携帯端末で表示される１組の情報が複数含まれ、前記制御部は、条件に応じて前記故人に関する情報のうちいずれか１組を前記携帯端末に送信することを特徴とする請求項１〜４のいずれか１項に記載の拡張現実システム。
【請求項６】
前記故人情報記憶部には、前記故人に関する情報に関連付けて該情報を送信する条件の情報が記憶されることを特徴とする請求項５記載の拡張現実システム。
【請求項７】
前記故人情報記憶部には、前記マーカーを特定する情報と関連付けて前記故人に関する情報が記憶されていることを特徴とする請求項４記載の拡張現実システム。
【請求項８】
前記サーバーは、ユーザーに関する情報を記憶するユーザー情報記憶部と、該ユーザー情報記憶部を参照してログインするユーザーの認証を行う認証部とを有し、前記制御部は、前記認証部で認証したユーザーに応じて、前記故人に関する情報のうちいずれか１組を前記携帯端末に送信することを特徴とする請求項５または６記載の拡張現実システム。
【請求項９】
前記カメラで前記マーカーを撮影すると、前記携帯端末は前記位置検出部で自機の位置を検出し、該検出した位置の情報を含めて前記サーバーに対して所定の情報を送信し、前記サーバーは、前記携帯端末が前記カメラで前記マーカーを撮影した際に検出した位置の情報を、ユーザーの情報と関連付けて記憶する位置情報記憶部を有することを特徴とする請求項４記載の拡張現実システム。
【請求項１０】
前記サーバーの制御部は、前記位置情報記憶部に記憶された慰霊設備の位置とユーザーの情報とが対応付けられた慰霊設備の地図情報を作成することを特徴とする請求項１〜３、９のいずれか１項に記載の拡張現実システム。
【請求項１１】
前記制御部は、ユーザーからの要求に応じて、該ユーザーの情報と関連付けられた前記位置の情報を、前記ユーザーの端末または他の端末に送信することを特徴とする請求項１〜３、９、１０のいずれか１項に記載の拡張現実システム。
【請求項１２】
前記サーバーは、サービスを提供する事業所の情報と該事業所の場所とを関連付けて記憶する事業所情報記憶部を有し、
前記携帯端末は、前記位置検出部で検出した自機の位置の情報と共にサービス要求情報を前記サーバーに送信可能とされ、該サービス要求情報を受信した前記サーバーの制御部は、前記携帯端末の位置に最も近い事業所の情報を前記事業所情報記憶部から抽出し、該抽出した情報を前記携帯端末に送信することを特徴とする請求項１〜１１のいずれか１項に記載の拡張現実システム。
【請求項１３】
前記制御部は、所定のタイミングで第１のユーザーに対して第１の確認情報を返信可能となるように送信し、該第１の確認情報に対して前記携帯端末から所定期間返信がなかった場合には、前記第１のユーザーとは別の第２のユーザーに対して第２の確認情報を送信することを特徴とする請求項１〜１２のいずれか１項に記載の拡張現実システム。
【発明の詳細な説明】
【技術分野】
【０００１】
本発明は、故人を慰霊するための慰霊設備にマーカーを付し、該マーカーを端末のカメラで撮影することで、あるいは、慰霊場所の位置情報を記憶しておき、端末が慰霊場所の位置にあることを認識することで、サーバーからの所定の情報をカメラで撮影した映像に重畳して端末の画面に表示する拡張現実システムに関する。
【背景技術】
【０００２】
カメラ付きの携帯端末等において、撮影した映像に文字や画像等の他の情報を重畳して表示させる拡張現実（ＡＲ：Ａｕｇｍｅｎｔｅｄ  Ｒｅａｌｉｔｙ）のシステムが知られている。拡張現実システムは、例えばカーナビゲーションや、ゲームに用いられる他、商品情報を表示させるシステムなどにおいて用いられている。
【０００３】
拡張現実システムでは、所定のマーカーを携帯端末のカメラで撮影することにより、そのマーカーの形状が携帯端末で読み取られ、携帯端末は、マーカーの形状からそれを識別し、識別した情報に基づいて所定のサーバーに情報送信を要求し、サーバーは、情報送信の要求を受信すると、所定の情報を携帯端末に送信し、携帯端末ではサーバーから受信した情報をカメラで撮影している映像に重畳して表示する。このような拡張現実システムとしては、例えば特許文献１に挙げるようなものがある。
【先行技術文献】
【特許文献】
【０００４】
【特許文献１】特開２０１２−２１５９８９号公報
【発明の概要】
【発明が解決しようとする課題】
【０００５】
墓や仏壇、位牌といった慰霊設備は、故人を偲び、慰霊するために設けられるものであるが、祈りを捧げるだけでなく、故人が生前に残したメッセージなど故人に関する情報を慰霊設備の前で見たり聞いたりすることができれば、より故人に対する思いを強くすることができると考えられる。そこで、拡張現実システムを慰霊設備に適用することが望まれる。また、近年、海洋葬や樹木葬といった墓石等が設置されない埋葬方法も見られるようになっている。このような場合には、慰霊設備は存在しないが、埋葬した場所を慰霊場所として慰霊が行われる。この場合にも、慰霊場所において、故人に関する情報を見たり聞いたりできることが望まれる。
【０００６】
本発明は前記課題を鑑みてなされたものであり、慰霊設備または慰霊場所において故人に関する情報を現実の情報と合わせて得ることのできる拡張現実システムを提供することを目的とする。
【課題を解決するための手段】
【０００７】
前記課題を解決するため、請求項１の発明に係る拡張現実システムは、カメラを有する携帯端末と通信可能なサーバーを有する拡張現実システムにおいて、
前記サーバーは、故人に関する情報を記憶する故人情報記憶部と、慰霊場所の位置情報を記憶する位置情報記憶部と、前記携帯端末との情報の送受信を行う制御部とを有し、
前記携帯端末は、自機の位置を検出する位置検出部と、該位置検出部で検出した位置の情報を含む情報を送信すると共に前記サーバーからの情報を受信する送受信部を有し、
前記サーバーの制御部は、前記携帯端末が前記位置検出部で検出した自機の位置が、前記位置情報記憶部に記憶された慰霊場所の位置情報と合致する場合には、前記故人情報記憶部に記憶された故人に関する情報を前記携帯端末に送信し、前記故人に関する情報を受信した携帯端末に、該故人に関する情報を前記カメラで撮影した映像に重畳して、画面に表示させ、
前記携帯端末は、前記位置検出部で検出した自機の位置の情報を所定のタイミングで前記サーバーに送信し、
前記制御部は、前記携帯端末から受信した位置の情報と、前記位置情報記憶部に記憶された位置の情報とを対比し、両者の位置間の距離が所定以下である場合に、前記携帯端末に対して慰霊を促す情報を送信することを特徴として構成されている。
【０００８】
請求項１に係る発明によれば、携帯端末で検出した位置情報を基に、慰霊場所をカメラで撮影した映像に故人に関する情報を重畳して表示させることができる。また、ユーザーが慰霊設備の近くに立ち寄った際に、そのことに気付かせることができ、慰霊を促すことができる。
【０００９】
また、請求項２の発明に係る拡張現実システムは、前記サーバーの制御部は、前記携帯端末が前記位置検出部で検出した自機の位置が、前記位置情報記憶部に記憶された慰霊場所の位置から所定範囲内であれば、前記慰霊場所の位置情報と合致すると判定することを特徴として構成されている。
【００１０】
請求項２に係る発明によれば、位置検出部で検出される携帯端末の位置にある程度の誤差があっても、確実に情報の閲覧を行うことができる。
【００１１】
さらに、請求項３の発明に係る拡張現実システムは、前記慰霊場所にはマーカーが設けられており、
前記サーバーは、前記携帯端末が前記マーカーを撮影した際に、前記位置検出で検出された位置情報を前記携帯端末から受信し、該受信した位置情報を前記位置情報記憶部に記憶させることを特徴として構成されている。
【００１２】
請求項３に係る発明によれば、最初に情報を閲覧する際にのみマーカーを使用し、その後はマーカーを不要とできるので、マーカーを慰霊場所に永久的に設置しておくことが困難な場合であっても、本システムの適用を図ることができる。
【００１３】
また、請求項４の発明に係る拡張現実システムは、カメラを有する携帯端末と通信可能なサーバーを有する拡張現実システムにおいて、
前記サーバーは、故人に関する情報を記憶する故人情報記憶部と、前記携帯端末との情報の送受信を行う制御部とを有し、
前記携帯端末は、慰霊設備に設置されたマーカーを前記カメラで撮影すると、前記マーカーに含まれる情報に基づき前記サーバーに対して所定の情報を送信し、該所定の情報を受信した前記サーバーの制御部は、前記故人情報記憶部に記憶された故人に関する情報を前記携帯端末に送信し、前記故人に関する情報を受信した携帯端末は、該故人に関する情報を前記カメラで撮影した映像に重畳して、画面に表示させ、
前記携帯端末は自機の位置を検出できる位置検出部を有し、
前記携帯端末は、前記位置検出部で検出した自機の位置の情報を所定のタイミングで前記サーバーに送信し、
前記制御部は、前記携帯端末から受信した位置の情報と、前記位置情報記憶部に記憶された位置の情報とを対比し、両者の位置間の距離が所定以下である場合に、前記携帯端末に対して慰霊を促す情報を送信することを特徴として構成されている。
【００１４】
請求項４に係る発明によれば、慰霊設備をカメラで撮影した映像に故人に関する情報を重畳して表示させることができる。また、ユーザーが慰霊設備の近くに立ち寄った際に、そのことに気付かせることができ、慰霊を促すことができる。
【００１５】
また、請求項５の発明に係る拡張現実システムは、前記故人情報記憶部に記憶される故人に関する情報には、前記携帯端末で表示される１組の情報が複数含まれ、前記制御部は、条件に応じて前記故人に関する情報のうちいずれか１組を前記携帯端末に送信することを特徴として構成されている。
【００１６】
請求項５に係る発明によれば、利用するユーザーや期間などの条件に応じた情報を閲覧させることができ、画一的でない故人からのメッセージを伝えることができる。
【００１７】
さらに、請求項６の発明に係る拡張現実システムは、前記故人情報記憶部には、前記故人に関する情報に関連付けて該情報を送信する条件の情報が記憶されることを特徴として構成されている。
【００１８】
請求項６に係る発明によれば、様々な条件に応じて故人に関する情報を送信することができる。
【００１９】
さらにまた、請求項７の発明に係る拡張現実システムは、前記故人情報記憶部には、前記マーカーを特定する情報と関連付けて前記故人に関する情報が記憶されていることを特徴として構成されている。
【００２０】
請求項７に係る発明によれば、携帯端末から受信した情報に基づき適切な故人に関する情報を送信することができる。
【００２１】
そして、請求項８の発明に係る拡張現実システムは、前記サーバーは、ユーザーに関する情報を記憶するユーザー情報記憶部と、該ユーザー情報記憶部を参照してログインするユーザーの認証を行う認証部とを有し、前記制御部は、前記認証部で認証したユーザーに応じて、前記故人に関する情報のうちいずれか１組を前記携帯端末に送信することを特徴として構成されている。
【００２２】
請求項８に係る発明によれば、ログインしたユーザーに応じて適切な故人に関する情報を送信することができる。
【００２３】
また、請求項９の発明に係る拡張現実システムは、前記携帯端末は自機の位置を検出できる位置検出部を有し、前記カメラで前記マーカーを撮影すると、前記携帯端末は前記位置検出部で自機の位置を検出し、該検出した位置の情報を含めて前記サーバーに対して所定の情報を送信し、前記サーバーは、前記携帯端末が前記カメラで前記マーカーを撮影した際に検出した位置の情報を、ユーザーの情報と関連付けて記憶する位置情報記憶部を有することを特徴として構成されている。
【００２４】
請求項９に係る発明によれば、ユーザーがお参りする慰霊設備の位置をサーバーで把握することができる。
【００２５】
さらに、請求項１０の発明に係る拡張現実システムは、前記サーバーの制御部は、前記位置情報記憶部に記憶された慰霊設備の位置とユーザーの情報とが対応付けられた慰霊設備の地図情報を作成することを特徴として構成されている。
【００２６】
請求項１０に係る発明によれば、墓の場所を個別に教えてもらわなくても、墓の地図を作成することで、それぞれの場所を把握することができる。
【００２７】
さらにまた、請求項１１の発明に係る拡張現実システムは、前記制御部は、ユーザーからの要求に応じて、該ユーザーの情報と関連付けられた前記位置の情報を、前記ユーザーの端末または他の端末に送信することを特徴として構成されている。
【００２８】
請求項１１に係る発明によれば、慰霊設備の場所を他人や業者などに簡単に伝えることができる。
【００２９】
そして、請求項１２の発明に係る拡張現実システムは、前記サーバーは、サービスを提供する事業所の情報と該事業所の場所とを関連付けて記憶する事業所情報記憶部を有し、
前記携帯端末は、前記位置検出部で検出した自機の位置の情報と共にサービス要求情報を前記サーバーに送信可能とされ、該サービス要求情報を受信した前記サーバーの制御部は、前記携帯端末の位置に最も近い事業所の情報を前記事業所情報記憶部から抽出し、該抽出した情報を前記携帯端末に送信することを特徴として構成されている。
【００３０】
請求項１２に係る発明によれば、ユーザーに近い業者にサービスを依頼することができ、利便性を向上させることができる。
【００３１】
また、請求項１３の発明に係る拡張現実システムは、前記制御部は、所定のタイミングで第１のユーザーに対して第１の確認情報を返信可能となるように送信し、該第１の確認情報に対して前記携帯端末から所定期間返信がなかった場合には、前記第１のユーザーとは別の第２のユーザーに対して第２の確認情報を送信することを特徴として構成されている。
【００３２】
請求項１３に係る発明によれば、ユーザーの安否確認をすることができ、さらに、円滑なアカウントの承継を行うことができる。
【発明の効果】
【００３３】
本発明に係る拡張現実システムによれば、慰霊設備や慰霊場所をカメラで撮影した映像に故人に関する情報を重畳して表示させることができるので、慰霊設備や慰霊場所において故人に対する思いをより強くしながら慰霊することができる。
【図面の簡単な説明】
【００３４】
【図１】本実施形態における拡張現実システムの概要図である。
【図２】拡張現実システムの構成図である。
【図３】管理画面を表した図である。
【図４】慰霊設備での拡張現実による情報の閲覧のフロー図である。
【図５】カメラで撮影した映像にパターンの情報を重畳して表示した携帯端末の画面の図である。
【図６】バナー部の墓のアイコンを押した際に表示される画面の図である。
【図７】第２の実施形態における拡張現実システムの概要図である。
【図８】第２の実施形態における慰霊場所での拡張現実による情報の閲覧のフロー図である。
【発明を実施するための形態】
【００３５】
本発明の実施形態について図面に沿って詳細に説明する。図１には、本実施形態における拡張現実システムの概要図を示している。本実施形態の拡張現実システムは、墓や仏壇あるいは位牌などの慰霊設備１にマーカー２を設け、カメラ１１を有する携帯端末１０でマーカー２を撮影することで、携帯端末１０とサーバー５０との間で情報が送受信され、携帯端末１０で受信した故人に関する情報を、カメラ１１で撮影した映像と重畳して、携帯端末１０の画面に表示させるものである。図１では、墓にマーカー２を設置している。
【００３６】
本実施形態の拡張現実システムには、その他に、サーバー５０に故人に関する情報などを登録するためのユーザー端末３０が用意されている。ユーザー端末３０は、各種コンピュータによって構成することができる。ただし、ユーザー端末３０の代わりに携帯端末１０から情報の登録などを行うようにしてもよい。
【００３７】
図２には、拡張現実システムの構成図を示している。携帯端末１０は、映像を撮影することのできるカメラ１１と、全地球測位網（ＧＰＳ：Ｇｌｏｂａｌ  Ｐｏｓｉｔｉｏｎｉｎｇ  Ｓｙｓｔｅｍ）などを利用して自機の地球上における位置を測定することのできる位置検出部１２と、情報を表示する画面１３とを有している。携帯端末１０は、スマートフォンやタブレット型コンピュータあるいはノート型コンピュータなどによって構成することができ、その中にインストールされたソフトウェアによって、本システムの機能を実現することができる。
【００３８】
サーバー５０は、ネットワーク３を介して携帯端末１０と通信可能となっている。また、ユーザー端末３０もネットワーク３を介してサーバー５０と通信可能となっている。図２では、携帯端末１０やサーバー５０及びユーザー端末３０は有線で接続されているように描かれているが、実際には無線通信でもよく、特に携帯端末１０は無線によりネットワーク３に接続される。
【００３９】
サーバー５０は、故人に関する情報を記憶する故人情報記憶部６０と、ユーザーの固有の情報や種別などを関連付けて記憶するユーザー情報記憶部６１と、携帯端末１０から送られてきた位置情報を記憶する位置情報記憶部６２と、花屋や墓石業者等の事業所についての情報を記憶する事業所情報記憶部６３とを有している。また、サーバー５０は、携帯端末１０との情報の送受信などを行う制御部５１と、ＩＤとパスワードによるユーザーの認証を行う認証部５２とを有している。サーバー５０の制御部５１や認証部５２は、物理的にはコンピュータの中央処理演算装置（ＣＰＵ）などによって構成することができる。また、各記憶部は、物理的にはコンピュータのハードディスクなどの記憶装置によって構成することができる。
【００４０】
本システムにおけるアカウントの構成について説明する。本システムでは、複数の種別のアカウントを作成することができ、アカウントの種別によって、情報の登録の可否や、閲覧できる情報の種類などを、個々に設定することができる。本システムでのアカウントの種別は、メインアカウントとサブアカウント、友人アカウント及びパブリックアカウントである。ただし、アカウントの種別はこれらに限られず、より多くの種類のアカウントが存在してもよい。
【００４１】
メインアカウントは、サーバー５０に情報を登録することができるアカウントであって、必ず１つ以上が作成される。メインアカウントを持つユーザーは、例えば自分の死後に、希望する情報を子供や友人などに残したいと考えている本人のこともあるし、また、本人が既に亡くなっている場合には、本人の子供などのこともある。メインアカウントを持つユーザーは、情報の登録だけでなく、その閲覧や本システムにおける条件設定など、全ての権限を有している。
【００４２】
サブアカウントは、少なくとも一部の権限を制限されたアカウントである。サブアカウントについてどの権限を制限するか、あるいはどの権限を与えるかについては、メインアカウントのユーザーが設定することができる。また、本人の死後には、サブアカウントに全ての権限が与えられるようにしてもよい。サブアカウントのユーザーとしては、例えば故人の子供や兄弟などの家族が考えられる。サブアカウントは複数を作成することができる。
【００４３】
友人アカウントは、家族以外の友人などがユーザーとなることを想定したアカウントである。友人アカウントでは、拡張現実による情報の閲覧のみが可能であり、情報の登録などの権限は有していない。友人アカウントも、複数を作成することができる。また、パブリックアカウントは、パスワードのみでログインできるアカウントであって、故人が例えば有名人である場合などに、不特定多数の人にパスワードを公開し、拡張現実による情報の閲覧を可能とするためのアカウントである。
【００４４】
次に、故人に関する情報の本システムへの登録について説明する。情報の登録は、ユーザー端末３０から行う。その際、図３に示すような管理画面によって、情報のアップロードや条件の設定などを行うことができる。管理画面には、少なくともメインアカウントのユーザーがログインすることができる。また、設定によってはサブアカウントのユーザーもログインすることができる。管理画面の右上部分には、アカウントのＩＤとパスワードを入力するログイン領域２５が設けられており、ここにＩＤ及びパスワードを入力することで、当該アカウントにて管理画面にログインできる。
【００４５】
ログインした管理画面には、故人に関する情報を入力してサーバー５０にアップロードするためのデータ入力領域２０が設けられている。データ入力領域２０には、写真や動画などをコピーアンドペーストできる領域と、テキストデータを入力できる領域とがさらに設けられている。故人に関する情報としては、動画、写真、音声、テキストの各データを任意に組み合わせて１組の情報とすることができる。データ入力領域２０に入力されたデータは、ユーザー端末３０からサーバー５０に送信される。サーバー５０で受信されたデータは、故人情報記憶部６０に格納される。
【００４６】
管理画面には、データ入力領域２０の下方にパターン選択領域２１が設けられている。パターン選択領域２１には、複数のボタンが並んでおり、それぞれがデータのパターンに対応している。拡張現実による情報の閲覧時には、動画や写真、テキストデータなど複数の情報が１組の情報として表示される。本システムでは、このような１組の情報を１つのパターンとして、複数パターンを登録しておくことができる。パターン選択領域２１では複数のパターンのうち１つを選択することができる。パターン選択領域２１で１つのパターンを選択した状態で、データ入力領域２０からデータの入力を行うことで、それらの情報が当該パターンに関連付けられてサーバー５０の故人情報記憶部６０に格納される。
【００４７】
パターン選択領域２１で選択されるパターンは、慰霊設備ごと、すなわち墓用、仏壇用、位牌用というように使い分けることもできるし、また、ユーザーごと、すなわちサブアカウント用、友人アカウント用、パブリックアカウント用というように使い分けることもできる。その関連付けについては、別途説明する。
【００４８】
管理画面には、パターン選択領域２１の下方に再生・発注領域２２が設けられている。再生・発注領域２２では、再生ボタンを押すことにより、登録した情報を閲覧することができる。閲覧の際には、サーバー５０に記憶された故人情報記憶部６０から選択されたパターンに対応する情報が抽出され、それがユーザー端末３０に送信されることで、ユーザー端末３０において実際の画面でどのように表示されるかを確認することができる。
【００４９】
また、発注ボタンを押すことにより、登録した情報を再生するための情報が含まれたマーカー２の制作発注を行うことができる。発注ボタンが押されると、サーバー５０では選択されているパターンを特定する情報を含むバーコード等の識別コードが作成され、システム管理者は、作成された識別コードからマーカー２を制作することができる。なお、マーカー２は、少なくともどの慰霊設備に対応したものであるかが識別できればよく、携帯端末１０において特定の形状であることを認識できるものであればよいので、バーコード以外の単純な図形等であってもよい。
【００５０】
管理画面には、データ入力領域２０の右側に条件設定領域２３が設けられている。条件設定領域２３では、登録したパターンを閲覧するための条件を設定することができる。管理画面では、条件設定領域２３をクリックすることにより、さらに設定画面（図示しない）が表示され、そこで閲覧条件を入力することができる。
【００５１】
条件設定領域２３で設定する閲覧条件としては様々なものが考えられる。アカウントを閲覧条件とした場合、特定のアカウントのみ閲覧可能とすることもできるし、また、複数のアカウントで閲覧可能とすることもできる。例えば、父、母、子供３人の家庭において、父と母がそれぞれメインアカウントを保有し、子供３人がサブアカウントを保有しているものとする。この場合に、父のメインアカウントで登録した情報のパターンについて、母のメインアカウントでのみ閲覧できるように条件を設定することができる。また、母のメインアカウント及び子供３人のサブアカウントで閲覧できるように条件を設定することもできる。また、別の情報のパターンについては、友人アカウント、あるいはパブリックアカウントで閲覧可能に設定することができる。
【００５２】
また、閲覧条件として、期間を設定することもできる。例えば、お盆の前後５日以内といったように期間を設定することで、その期間内にお墓を訪れた人は、その情報のパターンを閲覧することができる。また、期間とアカウントの条件を組み合わせることもできる。例えば、孫がサブアカウントを持っているとして、その孫が２０歳になる日の前後所定期間を設定しておき、孫の成人を祝うメッセージを情報のパターンとして登録しておくことなどが可能である。
【００５３】
さらに、条件設定領域２３で設定する条件としては、どの場所で閲覧されるパターンであるかという条件も含まれる。例えば、墓と自宅の位牌にマーカー２を設ける場合、特定のパターンについては墓で閲覧されるものとし、別の特定のパターンについては自宅の位牌で閲覧されるように設定することができる。これらのアカウントによる条件、期間の条件、場所の条件などは、単独で設定することもできるし、複数を組み合わせて設定することも可能である。
【００５４】
条件設定領域２３で閲覧条件が設定されると、当該設定情報はサーバー５０に送信され、サーバー５０では、登録された情報のパターンと当該パターンに設定された条件とが関連付けられて故人情報記憶部６０に記憶される。
【００５５】
管理画面には、条件設定領域２３の下方にサービス依頼ボタン領域２４が設けられている。サービス依頼ボタン領域２４には、墓や法要などに関する各種サービスを依頼することのできるボタンが複数配置されている。ここには様々なサービスの依頼のためのボタンを配置することができるが、本実施形態では、塔婆の制作依頼と、法要の依頼、生花の発注、お墓の工事依頼の各ボタンが配置されている。これらのボタンがクリックされると、その情報がそのままサーバー５０に送信される場合と、依頼のためにさらに必要な情報を入力するためのフォームが表示され、該フォームに必要な情報が入力されると、その情報をサーバー５０に送信する場合とがある。
【００５６】
依頼のために必要な情報を入力するためのフォームについては、サーバー５０側で既知の情報については予め入力した状態で表示することができる。例えば、サーバー５０のユーザー情報記憶部６１には、ユーザーのアカウントと氏名、住所の情報が関連付けられて記憶されているので、生花を発注依頼するボタンが押された場合に、依頼者の氏名や住所として、ログインしているアカウントに対応する氏名、住所をサーバー５０からユーザー端末３０に送信し、ユーザー端末３０ではそれらの情報をフォームに予め入力しておくことができる。
【００５７】
フォームに必要な情報が入力され、当該情報がサーバー５０に送信されると、サーバー５０は、その情報を業者に対して送信する。業者についての情報は、前述のようにサーバー５０の事業所情報記憶部６３に記憶されている。どの業者に対して依頼をするかは、ユーザーの住所などから予め定めていてもよいし、また、依頼の際にユーザーが選択できるようにしてもよい。
【００５８】
管理画面には、ここまで説明した領域の他に、お参りに関する日付が表示される領域が配置されている。お参りに関する日付は、例えば命日や法事、彼岸の日付などであり、この管理画面から日付を追加することができる。また、日付の右側にはメールのアイコンが配置されており、これをクリックすることで、命日など特定の日付が近づいたらサーバー５０から所定のアドレスにメールを送信する設定を行うことができる。個々での設定情報は、サーバー５０に送信されて、サーバー５０ではその設定情報に基づきメールの送信を行う。
【００５９】
次に、慰霊設備での拡張現実による情報の閲覧について説明する。図４には、慰霊設備での拡張現実による情報の閲覧のフロー図を示している。慰霊設備には、前述のように情報を閲覧するためのマーカー２が設置されている。ユーザーは、携帯端末１０において本システムに使用するソフトウェアを予め起動しておき、慰霊接部に設置されたマーカー２を携帯端末１０のカメラ１１で撮影する（Ｓ１）。
【００６０】
マーカー２を撮影した携帯端末１０は、そのマーカー２の形状を認識することにより、マーカー２を識別し、あるいはそれに含まれる情報を認識する（Ｓ２）。また、携帯端末１０は、位置検出部１２によって自機の位置を検出する（Ｓ３）。ここで検出された携帯端末１０の位置は、慰霊設備が設置されている位置の情報として用いることができる。
【００６１】
続いて、携帯端末１０はサーバー５０へのログイン処理を行う（Ｓ４）。ログイン処理では、携帯端末１０でユーザーのログインＩＤとパスワードを入力するようにしてもよいし、ログインＩＤは携帯端末１０の固有のＩＤを用いるなどにより簡易化したものであってもよい。また、パブリックアカウントの場合には、パスワードの入力のみでサーバー５０にログインすることができる。
【００６２】
携帯端末１０で入力されたログインＩＤとパスワードは、サーバー５０に送信され、サーバー５０では、認証部５２においてユーザー情報記憶部６１を参照し、ログインＩＤとパスワードが適合するか否かを判別する。
【００６３】
携帯端末１０がサーバー５０にログインしたら、携帯端末１０は所定の情報をサーバー５０に送信する（Ｓ５）。ここで送信される所定の情報には、マーカー２を特定する情報と、Ｓ３で検出された携帯端末１０の位置の情報が含まれる。
【００６４】
携帯端末１０からの情報を受信したサーバー５０では、その中に含まれる位置情報を、位置情報記憶部６２に記憶させる（Ｓ６）。このとき、位置情報はログインしているユーザーのアカウントと関連付けて記憶される。この位置情報は、そのユーザーがお参りする慰霊設備の場所の情報として利用することができる。
【００６５】
次に、制御部５１は、ログインしたアカウントやマーカー２を特定する情報などに適合するパターンを、故人情報記憶部６０から抽出する（Ｓ７）。マーカー２により、いずれの慰霊設備でそれが撮影されたかは判別できるので、その慰霊設備に対応した情報を故人情報記憶部６０から抽出することができる。また、ログインしたアカウントの種別、すなわちメインアカウントであるか、サブアカウントであるか、ないし友人アカウントやパブリックアカウントであるかを、ユーザー情報記憶部６１を参照して特定し、このアカウントの種別に対応したパターンを抽出することができる。
【００６６】
さらに、抽出されたパターンに設定された条件が、閲覧するユーザー及び期間などの条件に合致しているか否かを判定する。前述のように、故人情報記憶部６０に記憶された情報のパターンには、閲覧できるユーザーや閲覧できる期間などの条件が関連付けられている。制御部５１では、抽出されたパターンについて、今回ログインしたユーザーが閲覧可能な条件に関連付けられたものであるか否かを判定する。例えば、サブアカウントについて、通常のメッセージと期間を限定したメッセージの２つのパターンが抽出された場合に、ログインした日が設定された期間内であった場合には、期間を限定したメッセージを携帯端末１０に対して送信するパターンとする。逆にログインした日が設定された期間内ではなかった場合には、通常のメッセージを携帯端末１０に対して送信するパターンとする。また、サブアカウントの中でも閲覧できるユーザーが限定されているような場合には、当該ユーザーのサブアカウントでログインされていた場合にのみ、対応するパターンを携帯端末１０に送信する。
【００６７】
条件に合致するパターンが複数ある場合には、そのうちいずれかをランダムに送信するようにしてもよいし、予め優先順位を定めておけば、その優先順位に従って送信するパターンを決定することもできる。
【００６８】
携帯端末１０に送信するパターンが定まったら、制御部５１は、そのパターンの情報を携帯端末１０に対して送信する（Ｓ８）。パターンの情報を受信した携帯端末１０では、カメラ１１で撮影した映像にパターンの情報を重畳して画面１３に表示させる（Ｓ９）。
【００６９】
図５には、カメラ１１で撮影した映像にパターンの情報を重畳して表示した携帯端末１０の画面１３を示している。この図では、慰霊設備１である墓を写しながら、その前に故人の写真４が重ねて表示されている様子を表している。このとき、同時に故人のメッセージも音声で再生される。映像は画面１３のほぼ全面に表示されるが、画面１３の下部にはバナー部４０が表示されている。
【００７０】
映像に重畳されるパターンの情報は、図５では写真と音声であるが、前述の通り、様々なデータの組み合わせが考えられる。例えば、動画と音声でもよいし、写真とテキストメッセージであってもよい。テキストメッセージの場合には、表示された故人の写真から吹き出しを表示し、その中にテキストメッセージを表示することができる。
【００７１】
バナー部４０には、墓のアイコンと、墓のクリーニング依頼、墓に関するトラブルの相談、現在地を発信の各ボタンが配置されている。墓のアイコンを押すと、後述する墓を選ぶための画面がさらに現れる。墓のクリーニング依頼や墓に関するトラブルの相談のボタンを押すと、その旨の情報がサーバー５０に送られ、サーバー５０ではそれぞれに対応する業者の情報を事業所情報記憶部６３から抽出し、各依頼について業者に連絡する。また、現在地を発信のボタンを押すと、位置検出部１２で検出した位置の情報をＳＭＳのソフトウェアなどに渡すことができる。これら各ボタンの有無は、任意に選択することができる。また、生花の依頼など、他の種類のボタンを配置してもよい。
【００７２】
業者への依頼については、携帯端末１０の位置検出部１２で検出した位置情報を用いて業者の選定を行うこともできる。サーバー５０が携帯端末１０から受信する情報には、前述のように携帯端末１０で検出した位置情報が含まれている。そこで、業者への依頼のボタンが押されて、携帯端末１０からサーバー５０にその旨が送信された場合に、サーバー５０では、制御部５１が携帯端末１０で検出した位置に最も近い事業所の情報を、事業所情報記憶部６３から抽出し、その情報を携帯端末１０に送信することができる。これにより、携帯端末１０を利用しているユーザーに近い場所にある業者が選定されるので、利便性を向上させることができる。
【００７３】
バナー部４０には、さらに任意に使用可能な領域が設定されており、これらは例えば広告などを表示してもよいし、また、お参りに関する知識を表示するためのボタンを配置するなどしてもよい。
【００７４】
図６には、バナー部４０の墓のアイコンを押した際に表示される画面を示している。この画面は、墓の購入を検討している人のための機能を有している。その前提として、墓地で空いている土地に、予めマーカー２を有する表札を設けておく。このマーカー２を携帯端末１０のカメラ１１で撮影することにより、その土地の映像に重畳して墓のイメージを表示させることができる。
【００７５】
画面の左側には、土地の広さ及びそれに対応する墓の画像が表示されている。画面の右側には、営業マンによる説明のボタンと、土地計測のボタンと、資料請求のボタンが表示されている。営業マンによる説明のボタンを押し、空いている土地のマーカー２をカメラ１１で撮影すると、その情報がサーバー５０に送信され、サーバー５０からは営業マンが墓について説明する映像を含む情報が携帯端末１０に送信される。その情報を受信した携帯端末１０では、土地の映像に重畳して営業マンが墓について説明する映像が表示される。
【００７６】
土地計測のボタンは、カメラ１１を使用して土地の広さを計測するソフトウェアを起動させる。そこで測定した土地の広さに基づいて、画面に表示されている墓のイメージを選択することができる。また、資料請求のボタンを押すと、その旨の情報がサーバー５０に送信され、登録したユーザーの情報に基づき資料をそのユーザーの住所などに送ることができる。
【００７７】
墓に設けるマーカー２は、１つであってもよいが、複数を埋め込むようにしてもよい。複数のマーカー２を設けておくことで、お参りに来た人によって異なるメッセージを再生できるようにすることができる。また、マーカー２は、新設する墓には埋め込むことが可能であるが、既設の墓に対しては、マーカー２を埋め込んだパーツを用意し、これを墓に取付けるようにすることもできる。
【００７８】
さらには、墓に納められている人の名前を刻んである墓誌の、各戒名の下に、それぞれマーカー２を埋め込むようにしてもよい。この場合、それぞれのマーカー２は、対応する戒名の人の生前の姿を表示するための情報を含むものとすることができる。
【００７９】
本システムにおけるポイントの付与について説明する。マーカー２を携帯端末１０で読み込む度に、ログインしたユーザーに対してポイントを付与することができる。例えば、慰霊設備である位牌に設置されたマーカー２を携帯端末１０で読み込み、その情報をサーバー５０が受信したら、サーバー５０はそのユーザーに対してポイントを付与する。具体的には、サーバー５０のユーザー情報記憶部６１にポイントの情報をユーザーのアカウントと関連付けて記憶しておき、サーバー５０がポイントを付与する際には、そのユーザーのアカウントに関連付けられたポイントに、付与するポイントを加算する。ポイントが所定以上貯まると、ユーザーは管理画面から図書券や線香のギフトなどを注文することができる。
【００８０】
次に、アカウントの承継について説明する。本システムでは、メインアカウントは拡張現実で閲覧される本人が持っていることを想定している。その本人が亡くなった場合に、サブアカウントを持っている他のユーザー、あるいは家族にそのアカウントをどのように承継するかが問題となる。
【００８１】
そこで、本システムでは、サーバー５０から定期的に、返信可能な確認情報として、所定のメールがメインアカウントに登録されたメールアドレスに送信される。このメールを送信してから所定期間内に返信があった場合には、メインアカウントの保持者は存命であると判断する。メールを送信してから所定期間内に返信がなかった場合には、別のアカウント、例えばサブアカウントに登録されたメールアドレスに、返信可能な確認情報として、所定のメールを送信する。そのメールの返信によって、メインアカウントの保持者が亡くなっていたことが分かった場合には、予め定めておいた手順でアカウントの承継を行う。アカウントの承継は、例えば所定の承継者、例えば本人の子供にメインアカウントのパスワードを伝えるなどの手順により、行うことができる。
【００８２】
次に、本システムにおける位置情報を用いたサービスについて説明する。前述のように、携帯端末１０でマーカー２を読み込んだ際に、携帯端末１０はその情報と共に位置検出部１２で検出した位置の情報をサーバー５０に送信し、サーバー５０は、その情報をユーザーのアカウントと関連付けて位置情報記憶部６２に記憶させる。すなわち、あるユーザーがお参りする慰霊設備の場所が、サーバー５０側で認識できる。
【００８３】
本システムのソフトウェアをインストールした携帯端末１０は、定期的に位置検出部１２で検出した自機の位置の情報をサーバー５０に送信する。サーバー５０は、携帯端末１０から位置の情報を受信したら、位置情報記憶部６２を参照し、その情報を送信したユーザーがお参りする慰霊設備の場所を抽出する。この慰霊設備の場所と受信した携帯端末１０の位置との距離を算出し、両者の距離が所定以下の場合に、サーバー５０は携帯端末１０に対し、慰霊設備へのお参りを勧める情報を送信する。この情報は、携帯端末１０にインストールされたソフトウェア上で通知されるようにしてもよいし、また、メールを送信するようにしてもよい。
【００８４】
墓の場所については、住所が存在しないことが多く、霊園など区画番号がある墓地を除けば、個々の墓についてそれぞれ関係者から場所を教えてもらう必要があった。墓のメンテナンスを行う業者などは、顧客の墓の場所を個別に教えてもらわなくてはならず、手間がかかっていた。
【００８５】
本システムでは、ユーザーがマーカー２を携帯端末１０で読み取り、その情報をサーバー５０に送信する際に、自機の位置の情報も併せて送信するので、そのユーザーがお参りする墓の位置を特定することができる。このため、位置情報記憶部６２に記憶されたユーザーのアカウントの情報と位置の情報とを対応付けて地図上に表示することで、墓の地図を作成することができる。システムの管理者は、これにより、墓の場所を個別に教えてもらわなくても、墓の地図によりそれぞれの場所を把握することが可能となる。
【００８６】
また、墓の場所は、ユーザーの承認を取った範囲において、本システム上で他のユーザー等に伝えることもできる。例えば、友人が墓を訪れたいと思った場合に、通常は家族等に場所を聞く必要がある。しかし、本システムでは、友人の連絡先を予め登録しておき、本人が亡くなった際にはその連絡先に墓の場所を連絡するように設定しておくことができる。このようにすることで、いずれかのユーザーが墓でマーカー２を撮影し、位置の情報をサーバー５０に送信すると、サーバー５０で墓の場所を把握できるので、その場所を登録された友人に連絡することが可能となる。
【００８７】
次に、本発明の第２の実施形態について説明する。図７には、第２の実施形態における拡張現実システムの概要図を示している。本実施形態の拡張現実システムは、マーカーを必要としないシステムとして構成されている。海洋葬や樹木葬といった埋葬方法では、墓のような慰霊設備が設置されないが、埋葬場所を慰霊のために訪れることがある。本実施形態の拡張現実システムでは、このような場合でも、その慰霊場所において拡張現実による情報の表示、再生を行うことができる。
【００８８】
本実施形態では、図７に示すように、樹木葬が行われた場所を慰霊場所５としている。この慰霊場所５において、携帯端末１０とサーバー５０との間で情報が送受信され、携帯端末１０のカメラ１１で撮影した映像に重畳して、故人に関する情報を表示、再生することができる。携帯端末１０とサーバー５０及びユーザー端末３０の構成は、図２に示した第１の実施形態と同様である。
【００８９】
マーカーを用いることなく、拡張現実のシステムを構成するために、本実施形態では携帯端末１０で取得する位置情報を用いる。図８には、本実施形態における慰霊場所５での拡張現実による情報の閲覧のフロー図を示している。ここでは、慰霊場所５の位置情報はまだサーバー５０に登録されていないものとする。
【００９０】
慰霊場所５に来た利用者は、携帯端末１０上で本システムに用いるソフトウェアを起動し、まず、ログイン処理が行われる（Ｓ１）。ここでのログイン処理は、図４のＳ４と同様である。次に、携帯端末１０は位置検出部１２によって自機の位置を検出する（Ｓ２）。続いて、この位置情報を含む情報が、携帯端末１０からサーバー５０に対して送信される（Ｓ３）。この際、サーバー５０に対して送信される情報には、位置情報と共に慰霊場所を識別する情報も含まれる。慰霊場所５を識別する情報は、携帯端末１０のソフトウェア上で予め登録、あるいは選択される。
【００９１】
位置情報を携帯端末１０から受信したサーバー５０は、当該慰霊場所５についての位置情報の受信が初めてであるか否かを判別する（Ｓ４）。位置情報の受信が初めてであった場合、サーバー５０は位置情報記憶部６２に当該位置情報を記憶させる（Ｓ５）。位置情報は、慰霊場所５を識別する情報と関連付けて記憶される。
【００９２】
Ｓ４において慰霊場所５についての位置情報の受信が初めてではなかった場合、制御部５１は、位置情報記憶部６２に記憶された当該慰霊場所５の位置情報と、携帯端末１０から受信した位置情報とを対比し、その位置が合致するか否かを判別する（Ｓ６）。この際、携帯端末１０が検出した自機の位置が、位置情報記憶部６２に記憶された慰霊場所５の位置から所定範囲内であれば、これらの位置情報は合致するものと判定される。
【００９３】
Ｓ６において位置情報が合致しなかった場合、携帯端末１０は慰霊場所５には位置していないものと判断されるので、フローは終了する。Ｓ６において位置情報が合致した場合には、図４のＳ７〜Ｓ９と同様に、再生するパターンが抽出され（Ｓ７）、それが携帯端末１０に送信され（Ｓ８）、パターンを受信した携帯端末１０は、携帯端末１０のカメラ１１で撮影している映像に重畳してパターンの情報を表示、再生する（Ｓ９）。
【００９４】
このように、マーカーが設置できないような慰霊場所５についても、携帯端末１０で検出した位置情報を基に、拡張現実の情報の送受信を行わせることができる。したがって、マーカーを設置できない海洋葬や樹木葬で埋葬された人に対しても、慰霊場所５において故人が生前に残したメッセージなど故人に関する情報を見たり聞いたりすることができ、故人に対する思いを強くすることができる。また、お墓のような慰霊設備であっても、形状や材質によってマーカーを取付けられない場合があり、運営者の許可が取れない場合も考えられ、さらには利用者が慰霊設備にマーカーを取付たくないという場合もある。これらの場合にも、本実施形態の拡張現実システムを適用することができる。さらに、本実施形態では携帯端末１０のカメラ１１でマーカーを撮影する必要がないので、携帯端末１０の向きを自由に変えることができ、より自由度の高い拡張現実のシステムとすることができる。
【００９５】
また、本実施形態の拡張現実システムは、第１の実施形態と同様の付加機能を設けることが可能である。例えば、ログインしたアカウントの種別やログインした日時などの条件に応じて、それぞれ異なる故人に関する情報を携帯端末１０に送信するように構成することができる。また、位置情報を用いて各種事業者に対するサービス依頼を行うこともできる。さらに、樹木葬等を検討している人に対する営業マンによる説明の機能を付加することもできる。この際、予め慰霊場所の位置情報をサーバー５０に登録しておき、樹木葬等を検討している人が当該位置の周辺で携帯端末１０のソフトウェアを起動した場合に、カメラ１１で撮影した映像に営業マンの映像を重畳することができる。また、位置情報が登録されていなくても、営業マンの映像をカメラ１１で撮影した映像に重畳するようにしてもよい。さらには、携帯端末１０のソフトウェアからは、資料請求の旨の情報送信や、電話での問い合わせなどを行うことができ、この際に、携帯端末１０で検出した位置情報を基に、近隣の事業者に対して情報送信を行うことができる。また、携帯端末１０で検出した位置が、慰霊場所５の近隣であった場合に、慰霊場所５へのお参りを勧める情報が、サーバー５０から送信されるようにしてもよい。
【００９６】
また、位置情報を利用したサービスとして、携帯端末１０に地図情報を記憶させておき、携帯端末１０で検出した位置情報と慰霊場所５の位置情報を基に、慰霊場所５までのナビゲーションを行うようにしてもよい。また、慰霊場所５の位置情報を基に、その近隣の企業の広告を携帯端末１０上で表示させるようにしてもよい。この場合、企業の広告と、当該企業の位置の情報とを、サーバー５０にて関連付けて記憶しておく必要がある。
【００９７】
このような位置情報を利用した拡張現実システムにおいて、マーカーを併用することもできる。この場合の拡張現実システムの概要図は、図１と同様となる。この場合、最初に慰霊場所の位置をサーバー５０に対して送信するために、マーカー２が利用される。具体的には、最初に慰霊場所において拡張現実による情報の閲覧をする際には、図４のＳ１〜Ｓ９のステップを行い、慰霊場所の位置情報をサーバー５０に記憶させる。２回目以降は、図８のＳ４、Ｓ５のステップを除いたフロー（すなわち、図８において２回目以降のフロー）によって、拡張現実による情報の閲覧を行う。
【００９８】
このように、位置情報によって拡張現実の情報を閲覧する場合であっても、マーカー２を併用することで、マーカー２は一時的に設けておくだけでよく、一度登録したら慰霊場所から除去することもできるので、マーカー２を永久的に設置しておくことが困難な場合であっても、本システムを利用することができるようになる。
【００９９】
以上、本発明の実施形態について説明したが、本発明の適用は本実施形態には限られず、その技術的思想の範囲内において様々に適用されうるものである。慰霊設備１及び慰霊場所５は、幅広く捉えることができ、例えば人に限らずペットなどの慰霊設備あるいは慰霊場所について、本発明を適用することも可能である。
【符号の説明】
【０１００】
１    慰霊設備
２    マーカー
３    ネットワーク
１０    携帯端末
１１    カメラ
１２    位置検出部
１３    画面
２０    データ入力領域
２１    パターン選択領域
２２    再生・発注領域
２３    条件設定領域
２４    サービス依頼ボタン領域
２５    ログイン領域
３０    ユーザー端末
４０    バナー部
５０    サーバー
５１    制御部
５２    認証部
６０    故人情報記憶部
６１    ユーザー情報記憶部
６２    位置情報記憶部
６３    事業所情報記憶部
【要約】
【課題】慰霊設備において故人に関する情報を現実の情報と合わせて得ることのできる拡張現実システムを提供する。
【解決手段】カメラ１１を有する携帯端末１０と通信可能なサーバー５０を有し、サーバー５０は、故人に関する情報を記憶する故人情報記憶部６０と、携帯端末１０との情報の送受信を行う制御部５１とを有し、携帯端末１０は、慰霊設備に設置された所定のマーカー２をカメラ１１で撮影すると、マーカー２に含まれる情報に基づきサーバー５０に対して所定の情報を送信し、所定の情報を受信したサーバー５０の制御部５１は、故人情報記憶部６０に記憶された故人に関する情報を携帯端末１０に送信し、故人に関する情報を受信した携帯端末１０は、故人に関する情報をカメラ１１で撮影した映像に重畳して、画面１３に表示させる。
【選択図】図１【図１】
0005780372.tif 000002
【図２】
0005780372.tif 000003
【図３】
0005780372.tif 000004
【図４】
0005780372.tif 000005
【図５】
0005780372.tif 000006
【図６】
0005780372.tif 000007
【図７】
0005780372.tif 000008
【図８】
0005780372.tif 000009